【事件の表示】
　特願２０１４−１３５７７８「無線パーソナルエリアネットワークでの動的帯域予約を可能にする技術」拒絶査定不服審判事件〔平成２６年　９月２５日出願公開，特開２０１４−１８００５５〕について，次のとおり審決する。
【結　論】
　本件審判の請求は，成り立たない。
【理　由】
第１　手続の経緯
　本願は，２００９年３月１１日（パリ条約による優先権主張外国庁受理　２００８年３月１１日　米国，２００８年８月２１日　米国）を国際出願日とする出願である特願２０１０−５４９９４２号の一部を，平成２６年７月１日に新たな特許出願としたものであって，平成２７年７月１３日付けで拒絶査定がされ，これに対し，同年１１月１０日に拒絶査定不服審判が請求されるとともに同日付けで手続補正がされたものである。
第２　補正の却下の決定
［結論］
　平成２７年１１月１０日付けの手続補正を却下する。
［理由］
１　本願発明と補正後の発明
　平成２７年１１月１０日付けの手続補正（以下，「本件補正」という。）は，平成２７年６月２３日付け手続補正書により補正された特許請求の範囲の請求項１に記載された
「無線パーソナルエリアネットワークで指向性通信のための予約期間の要求を受信し，
　前記要求に応じて前記予約期間の許可を送信することを有し，
　前記受信，前記送信及び前記予約期間の全てが，ビーコンの間ではなく，２つの連続するビーコンの間に生じ，前記予約期間は，前記要求のときに予約されていなかったチャネル時間ブロックを有する無線通信方法。」
という発明（以下，「本願発明」という。）を，
「
ハンドシェイクの間に
　
前記ハンドシェイクの間に
　前記受信，前記送信及び前記予約期間の全てが，ビーコンの間ではなく，２つの連続するビーコンの間に生じ，前記予約期間は，前記要求のときに予約されていなかったチャネル時間ブロックを有する無線通信方法。」
という発明（以下，「補正後の発明」という。）に変更することを含むものである。
（［当審注］：下線部は補正箇所を示す。）
２　補正の適否
（１）補正の概要及び新規事項の有無，補正の目的並びにシフト補正の有無について
　請求項１についての上記補正は，本願発明の予約期間の要求の受信及び予約期間の許可の送信について，いずれも「ハンドシェイクの間に」なされるとの限定を付すものであるから，特許請求の範囲の減縮を目的とするものである。
　補正前の請求項３，４，６，７，８（補正後の請求項２，３，５，６，７）ついても同様の補正がなされており，当該補正は同様に特許請求の範囲の減縮を目的とするものである。ここで，補正後の請求項３，７は，補正前の請求項４，８の「アクセスされたときに」との事項が削除されているが，機械アクセス可能媒体はアクセスされたときに機器に対して動作させるものであることは明らかであるから，内容の実質的な変更はない。
　そして，補正前の請求項２，９が削除されており，それに伴い，請求項の項番が繰り上げられている。
　また，これらの補正には，特許法第１７条の２第３項及び同第４項に違反するところはない。
（２）独立特許要件
　請求項１についての上記補正は，特許請求の範囲の減縮を目的とするものであるから，補正後の発明が特許出願の際独立して特許を受けることができるものであるのか否かについて，以下検討する。
ア　補正後の発明
　補正後の発明は，上記「１　本願発明と補正後の発明」の項の「補正後の発明」のとおりのものと認める。
イ　先願発明
　原査定の拒絶の理由に引用されたＰＣＴ／ＫＲ２００７／００６１９７号（国際公開第２００８／０６６３６３号，特表２０１０−５０５２９０号公報）（国際出願日　２００７年１２月３日）の明細書（以下，「先願明細書」という。）には，「METHODS OF ALLOCATING INSTANT CHANNEL RESOURCES IN A WIRELESS NETWORK」（［当審仮訳］：無線ネットワークにおける緊急チャネル資源割当方法）（［当審注］：当審仮訳は，先願の公表公報である特表２０１０−５０５２９０号公報の記載に基づいて合議体が作成した。以下同様。）に関し，図面とともに以下の事項が記載されている。
（ア）「
BACKGROUND ART
　　Recently, a number of kinds of networks have been developed and implemented in a real life owing to the development of communication, computer and networking technology. A large-scaled network, such as wire or wireless Internet, which connects the whole world, exists while a small-scaled wire or wireless network exists, which connects digital devices in limited places such as general homes or companies. With the development of various types of networks, various interfacing techniques have been also developed, which connect networks or devices with each other to perform communication between them.
　　FIG. 1 illustrates an example of a wireless video area network (WVAN) which is a kind of a wireless private access network (WPAN). The WVAN is a network configured between digital devices within a limited place, such as home, within 10m to ensure throughput of 4.5 Gbps or greater at a bandwidth of about 7 GHz, thereby supporting non- compression transmission of 108Op A/V streams.
　　FIG. 2 illustrates an example of a structure of superframes used in the WVAN. Referring to FIG. 2, each superframe includes a beacon region to which a beacon is transmitted, a reserved region allocated to a random device by a coordinator in accordance with a request of devices, and an unreserved region where data are transmitted and received  between the coordinator and a device or between devices in accordance with a contention based mode without being allocated by the coordinator, wherein each of the regions undergoes time division. The beacon includes timing allocation information in a corresponding superframe and management and control information of WVAN. 
　　The reserved region is used to allow a device, to which a channel time is allocated by the coordinator in accordance with a channel time allocation request of the device, to transmit data to another device. Commands, data streams, asynchronous data, etc. can be transmitted through the reserved region. The unreserved region can be used to transmit control information, MAC command or asynchronous data between the coordinator and the device or between the devices. To avoid data collision between the devices in the unreserved region, a carrier sense multiple access (CSMA) mode or a slotted Aloha mode can be used. The length and the number of reserved regions and unreserved regions in each superframe may depend on superframe and may be controlled by the coordinator.
　　A specific device in the WVAN transmits a bandwidth request command to the coordinator so that the device can be allocated with channel resources for data transmission. The coordinator checks whether there are channel resources to be allocated to the device. If there are channel resources to be allocated to the device, the coordinator allocates the requested channel resources to the device. At this time, information of the channel resources allocated to the device, i.e., timing allocation information is forwarded to the devices within the WVAN through a beacon which will be transmitted later.
　　Accordingly, in order that a random device is allocated with channel resources by requesting the coordinator of the channel resources and transmits data by using the allocated channel resources, the device should wait for the time to receive at least next beacon. This method of allocating channel resources may have a problem when instant data transmission is  required. In other words, if message exchange between two devices is instantly required, for example, if there is a previously set timing constraint to receive a response message to a message transmitted from a specific device to another device, a problem occurs in that the method of allocating channel resources according to the related art cannot fulfill the timing constraint. In this case, message exchange through a contention interval without allocation of channel resources may be considered. However, since the contention based message exchange may cause collision between devices, a problem occurs in that it is impossible to ensure certainty in message transmission and reception.
DISCLOSURE OF THE INVENTION
　　Accordingly, the present invention is directed to a method of allocating channel resources in a wireless network, which substantially obviates one or more problems due to limitations and disadvantages of the related art.
　　An object of the present invention is to provide a method of allocating instant channel resources if necessary in a state that channel resources are already allocated.
　　Another object of the present invention is to provide a method of allocating channel resources in a wireless network, in which delay in message transmission between a wire network and a wireless network or between two devices can be avoided, whereby desirable communication can be performed. 
　　To achieve these objects and other advantages and in accordance with the purpose of the invention, as embodied and broadly described herein, a method of allocating instant channel resources in a wireless network includes receiving channel resource allocation information of a specific superframe, which includes timing information of at least one reserved duration and at least one unreserved duration, from a coordinator of the wireless  network, requesting the coordinator to allocate instant channel resources for an unreserved duration of the specific superframe identified by the channel resource allocation information, and receiving allocation information of the instant channel resources, which are allocated within the unreserved duration of the specific superframe, from the coordinator.」（１ページ８行〜４ページ４行）
（［当審仮訳］：
背景技術
　近年，通信，コンピュータ及びネットワーキング技術の発達に伴って多種多様なネットワークが開発され，実生活で具現されている。ネットワークは，有線または無線インターネットのように全世界を連結する大規模のネットワークが存在する一方で，一般家庭または職場などのような限定された空間で家電製品間を連結する小規模の有線または無線ネットワークも存在している。ネットワーク種類の多様化に伴い，ネットワークとネットワーク間またはデバイスとデバイス間を連結し，互いに通信を行なえるようにするインターフェーシング（ｉｎｔｅｒｆａｃｉｎｇ）技術も多様化しつつある。
　図１は無線私設網（ＷＰＡＮ：  Ｗｉｒｅｌｅｓｓ  Ｐｒｉｖａｔｅ  Ａｃｃｅｓｓ  Ｎｅｔｗｏｒｋ）の一種であるＷＶＡＮ（Ｗｉｒｅｌｅｓｓ  Ｖｉｄｅｏ  Ａｒｅａ  Ｎｅｔｗｏｒｋ）の一例を概略的に示す図である。ＷＶＡＮは，家庭のような１０ｍ以内の限定された空間でデジタル機器間に無線ネットワークを構成し，約７ＧＨｚの帯域幅で４．５Ｇｂｐｓ以上のスループット（ｔｈｒｏｕｇｈｐｕｔ）を確保し，１０８０ｐのＡ／Ｖストリーム（ｓｔｒｅａｍ）の無圧縮伝送を支援できる無線ネットワークである。
　図２は，ＷＶＡＮで用いられるスーパーフレーム（ｓｕｐｅｒｆｒａｍｅ）の構造の一例を概略的に示す図である。図２を参照すると，各スーパーフレームは，ビーコンが伝送される領域（ｂｅａｃｏｎ  ｒｅｇｉｏｎ）と，デバイスの要請に応じて調整器により任意のデバイスに割り当てられる予約領域（ｒｅｓｅｒｖｅｄ  ｒｅｇｉｏｎ）と，調整器により割り当てられず，調整器とデバイス間またはデバイスとデバイス間に競争方式（ｃｏｎｔｅｎｔｉｏｎ  ｂａｓｅｄ）によってデータを送受信する非予約領域（ｕｎｒｅｓｅｒｖｅｄ  ｒｅｇｉｏｎ）と，で構成され，各領域は時分割（ｔｉｍｅ  ｄｉｖｉｓｉｏｎ）される。ビーコンは，該当のスーパーフレームにおけるタイミング割当情報とＷＶＡＮの管理・制御情報を含む。
　予約領域は，デバイスのチャネル時間割当要請に応じて調整器によりチャネル時間が割り当てられたデバイスが，他のデバイスにデータを伝送するのに用いられる。予約領域を通じて命令語，データストリーム，非同期データなどが伝送されることができる。非予約領域は，調整器とデバイス間またはデバイスとデバイス間で制御情報，ＭＡＣ命令語または非同期データなどを伝送するのに用いられることができる。非予約領域におけるデバイス間のデータ衝突を防止するために，ＣＳＭＡ（Ｃａｒｒｉｅｒ  Ｓｅｎｓｅ  Ｍｕｌｔｉｐｌｅ  Ａｃｃｅｓｓ）方式またはスロットアロハ（ｓｌｏｔｔｅｄ  Ａｌｏｈａ）方式を適用することができる。各スーパーフレームにおける予約領域及び非予約領域の長さ及び個数は，スーパーフレームごとに異なることができ，調整器により制御される。
　ＷＶＡＮで特定デバイスはデータ伝送のためのチャネル資源を受け取るために，帯域幅要請メッセージ（Ｂａｎｄｗｉｄｔｈ  Ｒｅｑｕｅｓｔ  ｃｏｍｍａｎｄ）を調整器に伝送する。すると，調整器は，当該デバイスに割り当てるチャネル資源があるかチェックし，チャネル資源がある場合に，要請されたチャネル資源をデバイスに割り当てる。この時，デバイスに割り当てられるチャネル資源に関する情報，すなわち，タイミング割当情報は，以降に伝送されるビーコンを通じてＷＶＡＮ内の各デバイスに伝達される。
　したがって，あるデバイスが調整器にチャネル資源を要請してチャネル資源を受け取り，実際に割り当てられたチャネル資源を用いてデータを伝送するには，少なくとも次のビーコンを受信するまでの期間を待たなければならない。このようなチャネル資源割当方法は，データ伝送に緊急性を要求する場合には問題を招くことができる。すなわち，２つのデバイス間に緊急にメッセージを交換する必要がある場合，例えば，特定デバイスが他のデバイスにメッセージを伝送した後，この他のデバイスからそれに対する応答メッセージを受信するまで既に設定された時間制約がある場合には，従来技術によるチャネル資源割当方法では上記時間制約を満たすことができないという問題点があった。この場合，チャネル資源の割当無しで競争区間を通じたメッセージ交換を考慮できるが，競争方式ではデバイス間の衝突可能性があるため，メッセージ送信及び受信の確実性を保障できないという不具合がある。
発明の概要
　したがって，本発明は，関連技術の制限及び不都合による１又はそれ以上の問題を実質的に除去する，無線ネットワークにおけるチャネル資源割当方法を目指している。
　本発明の目的は，チャネル資源が既に割り当てられた状況で必要によって緊急にチャネル資源を受け取ることができる方法を提供することにある。
　本発明の他の目的は，有線ネットワークと無線ネットワーク間または２つのデバイス間にメッセージ伝送時における遅延を防止でき，これにより，円滑な通信を可能にする方法を提供することにある。
　本発明の一様相として，本発明による緊急チャネル資源割当方法は，無線ネットワークにおける緊急チャネル資源割当方法において，少なくとも一つの予約区間及び少なくとも一つの非予約区間に関するタイミング情報を含む特定スーパーフレームに対するチャネル資源割当情報を，前記無線ネットワークの調整器から受信する段階と，前記チャネル資源割当情報より把握される前記特定スーパーフレームの非予約区間で前記調整器に緊急チャネル資源の割当を要請する段階と，前記調整器から前記特定スーパーフレームの非予約区間内で割り当てられる緊急チャネル資源の割当情報を受信する段階と，を含んで構成されることができる。）
（イ）「　　A WVAN is a wireless network configured between digital devices within a limited place, such as home, within 10m to ensure throughput of 4.5 Gbps or greater at a bandwidth  of about 7 GHz, thereby supporting non-compression transmission of 108Op A/V streams. The WVAN supports physical layers, i.e., a high-rate physical (HRP) layer and a low-rate physical (LRP) layer. The HRP layer is a physical layer which supports a data transmission speed of lGb/s or greater while the LRP layer is a physical layer which supports a data transmission speed of several Mb/s. The HRP layer is highly directional, and is used to transmit isochronous data streams, asynchronous data, MAC command, and A/V control data through unicast connection. The LRP layer supports a directional or omni-directional mode, and is used to transmit a beacon, asynchronous data, and MAC command through unicast or broadcast.
　　FIG. 3 illustrates a frequency band of HRP channels and LRP channels used in the WVAN. The HRP layer uses four channels of a bandwidth of 2.0 GHz in a band of 57-66 GHz, and the LRP uses three channels of a bandwidth of 92 MHz. As shown in FIG. 3, the HRP channels and the LRP channels commonly use a frequency band and are used respectively by a time divisional multiplexing (TDMA) mode. 
　　FIG. 4 illustrates an example of a structure of superframes used in the WVAN. Referring to FIG. 4, each superframe includes a beacon region to which a beacon is transmitted, a reserved channel time block (CTB) region, and an unreserved channel time block region. The beacon is periodically transmitted by the coordinator to identify a start part of each superframe. The beacon includes scheduled timing information and management and control information of the WVAN. As described above, a specific device in the WVAN transmits a bandwidth request command to the coordinator so that the device can be allocated with channel resources for data transmission. The coordinator checks whether there are channel resources to be allocated to the device. If there are channel resources to be allocated to the device, the coordinator broadcasts information of channel resources allocated to the  device, i.e., timing allocation information to the devices within the WVAN through a beacon which will be transmitted later. Each device can perform data exchange in the network through timing information and management/control information included in the beacon.
　　The reserved CTB region is used to allow a device, to which a channel time is allocated by the coordinator in accordance with a channel time allocation request of the device, to transmit data to another device. Commands, data streams, asynchronous data, etc. can be transmitted through the reserved CTB region. If a specific device transmits data to another device through the reserved CTB region, the HRP channels can be used. If a device which receives data transmits an acknowledgement or negative acknowledgement (ACK/NACK) signal in response to the received data, the LRP channels can be used.
　　The unreserved CTB region can be used to transmit control information, MAC command or asynchronous data between the coordinator and the device or between the devices. To avoid data collision between the devices in the unreserved CTB region, a carrier sense multiple access (CSMA) mode or a slotted Aloha mode can be used. In the unreserved CTB region, data can be transmitted through the LRP channels only. If there are provided a lot of commands or control information to be transmitted, a reserved region may be set in the LRP channels. The length and the number of reserved regions and unreserved regions in each superframe may depend on superframe and may be controlled by the coordinator. Although not shown in FIG. 4, a contention-based control period (CBCP) may be located next to the beacon to transmit instant control/management message. The length of the CBCP is set so as not to exceed a given threshold value mMAXCBCPLen.」（７ページ２３行〜９ページ２２行）
（［当審仮訳］：
　ＷＶＡＮは，家庭のような１０ｍ以内の限定された空間でデジタル機器間に無線ネットワークを構成し，約７ＧＨｚの帯域幅で４．５Ｇｂｐｓ以上のスループット（ｔｈｒｏｕｇｈｐｕｔ）を確保し，１０８０ｐのＡ／Ｖストリームの無圧縮伝送を支援できる無線ネットワークである。ＷＶＡＮは，物理階層としてＨＲＰ（ｈｉｇｈ−ｒａｔｅ  ｐｈｙｓｉｃａｌ  ｌａｙｅｒ）とＬＲＰ（ｌｏｗ−ｒａｔｅ  ｐｈｙｓｉｃａｌ  ｌａｙｅｒ）を支援する。ＨＲＰは，１Ｇｂ／ｓ以上のデータ伝送速度を支援できる物理階層で，ＬＲＰは，数Ｍｂ／ｓのデータ伝送速度を支援する物理階層である。ＨＲＰは高指向性（ｈｉｇｈｌｙ  ｄｉｒｅｃｔｉｏｎａｌ）のもので，ユニキャスト連結（ｕｎｉｃａｓｔ  ｃｏｎｎｅｃｔｉｏｎ）を通じて等時性（ｉｓｏｃｈｒｏｎｏｕｓ）データストリーム，非同期データ，ＭＡＣ命令語（ｃｏｍｍａｎｄ）及びＡ／Ｖ制御データの伝送に用いられる。ＬＲＰは指向性または全方向性（ｏｍｎｉ−ｄｉｒｅｃｔｉｏｎａｌ）モードを支援し，ユニキャスト（ｕｎｉｃａｓｔ）または放送（ｂｒｏａｄｃａｓｔ）を通じてビーコン，非同期データ，ＭＡＣ命令語の伝送などに用いられる。
　図３は，ＷＶＡＮで用いられるＨＲＰチャネルとＬＲＰチャネルの周波数帯域を説明するための図である。ＨＲＰは，５７〜６６ＧＨｚ帯域で２．０ＧＨｚ帯域幅の４つのチャネルを使用し，ＬＲＰは９２ＭＨｚ帯域幅の３つのチャネルを使用する。図３に示すように，ＨＲＰチャネルとＬＲＰチャネルは周波数帯域を共有し，ＴＤＭ（Ｔｉｍｅ  Ｄｉｖｉｓｉｏｎａｌ  Ｍｕｌｔｉｐｌｅｘｉｎｇ）方式で区分されて用いられる。
　図４は，ＷＶＡＮで用いられるスーパーフレーム（ｓｕｐｅｒｆｒａｍｅ）構造の一例を説明するための図である。図４を参照すると，各スーパーフレームは，ビーコン（ｂｅａｃｏｎ）が伝送されるビーコン領域，予約された（ｒｅｓｅｒｖｅｄ）チャネルタイムブロック（ＣＴＢ：  Ｃｈａｎｎｅｌ  Ｔｉｍｅ  Ｂｌｏｃｋ）領域及び予約されていない（ｕｎｒｅｓｅｒｖｅｄ）チャネルタイムブロック領域を含んでなる。ビーコン（ｂｅａｃｏｎ）は，毎スーパーフレームの導入部を識別するために調整器により周期的に伝送される。このビーコンは，スケジューリングされたタイミング情報，ＷＶＡＮの管理及び制御情報を含む。前述のように，ＷＶＡＮにおいて特定デバイスはデータ伝送のためのチャネル資源を受け取るために帯域幅要請メッセージ（Ｂａｎｄｗｉｄｔｈ  Ｒｅｑｕｅｓｔ  ｃｏｍｍａｎｄ）を調整器に伝送する。すると，調整器は，デバイスに割り当てるチャネル資源があるかチェックし，チャネル資源がある場合，当該デバイスに割り当てられるチャネル資源に関する情報，すなわち，タイミング割当情報を以降に伝送されるビーコンを通じてＷＶＡＮ内の各デバイスに放送する。各デバイスは当該ビーコンに含まれたタイミング情報及び管理／制御情報などを通じてネットワークでデータ交換を行なうことが可能になる。
　予約ＣＴＢ領域は，デバイスのチャネル時間割当要請に応じて調整器によりチャネル時間が割り当てられたデバイスが，他のデバイスにデータを伝送するのに用いられる。予約ＣＴＢ領域を通じて命令語，データストリーム，非同期データなどが伝送されることができる。特定デバイスが予約ＣＴＢ領域を通じて他のデバイスにデータを伝送する場合にはＨＲＰチャネルを使用し，データを受信するデバイスが受信したデータに対する受信確認信号（ＡＣＫ／ＮＡＣＫ）を伝送する場合にはＬＲＰチャネルを使用することができる。
　非予約ＣＴＢ領域は，調整器とデバイス間またはデバイスとデバイス間で制御情報，ＭＡＣ命令語または非同期データなどを伝送するのに用いられることができる。非予約ＣＴＢ領域におけるデバイス間のデータ衝突を防止するためにＣＳＭＡ（Ｃａｒｒｉｅｒ  Ｓｅｎｓｅ  Ｍｕｌｔｉｐｌｅ  Ａｃｃｅｓｓ）方式またはスロットアロハ（ｓｌｏｔｔｅｄ  Ａｌｏｈａ）方式を適用できる。非予約ＣＴＢ領域ではＬＲＰチャネルのみを通じてデータを伝送できる。もし，伝送される制御情報や命令語が多い場合には，ＬＲＰチャネルに予約領域を設定することも可能である。各スーパーフレームにおける予約ＣＴＢ及び非予約ＣＴＢの長さ及び個数は，スーパーフレームごとに異なることができ，調整器により制御される。図４には示していないが，緊急な制御／管理メッセージを伝送するために，ビーコンの次に位置した競争基盤制御区間（ＣＢＣＰ：  Ｃｏｎｔｅｎｔｉｏｎ−Ｂａｓｅｄ  Ｃｏｎｔｒｏｌ  Ｐｅｒｉｏｄ）を含む。このＣＢＣＰ長は，一定臨界値（ｍＭＡＸＣＢＣＰＬｅｎ）を設定し，この臨界値を越えないように設定される。）
（ウ）「　　FIG. 6 illustrates an example of a structure of superframes according to the embodiment of the present invention.
　　One superframe in the WVAN includes a beacon region, at least one reserved CTB region, and at least one unreserved CTB region. In FIG. 6, a superframe first scheduled by the coordinator includes two unreserved CTB regions (regions 'a' and 'c') and one reserved CTB region (region 'b'). Detailed timing information of the unreserved CTB regions and the reserved CTB region is included in a beacon located at a starting part of the superframe. Each device within the WVAN transmits or receives required data in accordance with a contention mode through the reserved or unreserved CTB region allocated to itself, as described with reference to FIG. 4, by using information included in the beacon.
　　If a specific device needs to be instantly allocated with a CTB within the superframe, it transmits an instant channel resource request message (INS CTBJREQ Command) through the region 'A' of FIG. 6 to request the coordinator instant channel resources, i.e., instant CTB within the unreserved CTB region. Table 1 illustrates an example of a format of the instant channel resource request command. Hereinafter, the terms, 'instant channel resources' or 'instant CTB' are used to identify 'channel resources' and 'CTB' allocated from the coordinator through the beacon in accordance with a general method. The terms 'instant channel resources' or 'instant CTB' may be replaced with various terms or general 'channel  resources' or 'CTB.'
　
　
　　In Table 1, a 'Command ID' field includes an identifier for identifying types of messages, and a 'Length' field includes length information of the other part of the instant channel resource request command. A 'Target ID' field includes an identifier of a device to which messages will be transmitted using requested channel resources, and a 'Source ID' field includes an identifier of a device which will transmit messages using requested channel resources. In case of the device which will transmit messages using the requested channel resources, the 'Source ID' field may include Broadcast ID before setup. A 'Usage Code' field includes an object of reservation of channel resources. A 'Start Limit' field includes timing constraint information to which channel resources should be allocated. In other words, the channel resources should be allocated within the range of the timing constraint included in the 'Start Limit' field. The 'Start Limit' field may include the fastest start timing or the latest start timing for allocating instant channel resources which are requested, or information related to both the fastest start timing and the latest start timing. For example, the instant channel resources allocated in case of the latest start timing information should not be allocated to be started at a timing point later than that indicated by the start timing information within the superframe. An 'Instant CTB duration' field includes requested channel resources, i.e., length information of a CTB duration requested for message  transmission.
　　If there is a request for allocation of the instant channel resources, the coordinator checks whether the instant CTB can be allocated. If possible, the coordinator broadcasts an instant channel resource allocation announcement command (INS_CTB_ANC Command) from the region  C B' of FIG. 6 through the WVAN to notify allocation of the instant CTB. Table 2 illustrates an example of a data format of the instant channel resource allocation announcement command.
　
　
　　In Table 2, a 'Target ID' field and a 'Source ID' field include the same details as those of the 'Target ID' field and the 'Source ID' field in Table 1. A 'Start Offset' field includes start location information of a CTB which is allocated. For example, the 'Start Offset' field includes information as to whether a start point of an allocated CTB starts from a point indicating how long the point is located away from a specific reference point. An 'Instant CTB Duration' field includes information of channel resources which are allocated, i.e., duration length information of an instant CTB which is allocated.
　　The devices within the WVAN, which have received the instant channel resource allocation message, regard the allocated instant CTB region as the reserved region. The region 'C of FIG. 6 is an instant CTB region allocated in accordance with the above procedure, and the specific device which has requested allocation of the instant channel resources can exchange data with another device through the instant CTB region. Allocation  request and allocation announcement of the instant CTB can be performed through the LRP channels. The instant CTB region includes a bandwidth duration corresponding to any one of the LRP and HRP channels. In other words, a specific bandwidth of any one of the LRP channel and the HRP channel may be used as the instant CTB region, or a specific bandwidth of both of them may be used as the instant CTB region.」（１０ページ７行〜１３ページ５行）
（［当審仮訳］：
　図６は，本発明の一実施例を説明するためのスーパーフレーム構造の一例を示す図である。
　ＷＶＡＮにおいて一つのスーパーフレームは，一つのビーコン領域と，少なくとも一つの予約ＣＴＢ領域と，少なくとも一つの非予約ＣＴＢ領域とを含んでなる。図６で，調整器により最初にスケジューリングされたスーパーフレームは，二つの非予約ＣＴＢ領域（‘ａ’及び‘ｃ’領域）と，一つの予約ＣＴＢ領域（‘ｂ’領域）とを含む。非予約ＣＴＢ領域及び予約ＣＴＢ領域に関する具体的なタイミング情報は，該スーパーフレームの始部に位置するビーコンに含まれる。ＷＶＡＮ内の各デバイスは，ビーコンに含まれた情報を用いて，図４で説明されたような方法によって，自身に割り当てられた予約ＣＴＢまたは非予約ＣＴＢ領域を通じた競争方式によって必要なデータを伝送または受信する。
　特定デバイスがスーパーフレーム内で緊急にＣＴＢを受け取る必要がある場合，特定デバイスは非予約ＣＴＢ領域内で調整器に緊急チャネル資源，すなわち，緊急ＣＴＢの割当を要請するために，図６の‘Ａ’領域を通じて緊急チャネル資源要請メッセージ（ＩＮＳ＿ＣＴＢ＿ＲＥＱ  Ｃｏｍｍａｎｄ）を伝送する。表１に，緊急チャネル資源要請メッセージのフォーマットの一例を示す。以下で，‘緊急チャネル資源（ｉｎｓｔａｎｔ  ｃｈａｎｎｅｌ  ｒｅｓｏｕｒｃｅｓ）’または‘緊急ＣＴＢ（ｉｎｓｔａｎｔ  ＣＴＢ）’という用語は，通常の方法によって調整器からビーコンを通じて割り当てられる‘チャネル資源’や‘ＣＴＢ’と区別するために用いられる。ただし‘緊急チャネル資源’または‘緊急ＣＴＢ’という用語は，様々な用語または通常の‘チャネル資源’や‘ＣＴＢ’に取り替えても良い。
（表１は省略）
　表１で，‘Ｃｏｍｍａｎｄ  ＩＤ’フィールドにはメッセージの種類を識別するための識別子が含まれ，‘Ｌｅｎｇｔｈ’フィールドは，緊急チャネル資源要請メッセージの残り部分の長さ情報を含む。‘Ｔａｒｇｅｔ  ＩＤ’フィールドには，要請されるチャネル資源を用いてメッセージが伝送されるデバイスの識別子が含まれ，‘Ｓｏｕｒｃｅ  ＩＤ’フィールドには，要請されるチャネル資源を用いてメッセージを伝送するデバイスの識別子が含まれる。当該要請されるチャネル資源を用いてメッセージを伝送するデバイスがまだ確定される前なら，‘Ｓｏｕｒｃｅ  ＩＤ’フィールドには放送ＩＤ（Ｂｒｏａｄｃａｓｔ  ＩＤ）が含まれることができる。‘Ｕｓａｇｅ  Ｃｏｄｅ’フィールドにはチャネル資源予約の目的が含まれる。‘Ｓｔａｒｔ  Ｌｉｍｉｔ’フィールドには，チャネル資源が割り当てられるべき時間制限（ｔｉｍｉｎｇ  ｃｏｎｓｔｒａｉｎｔ）情報が含まれる。すなわち，チャネル資源は，‘Ｓｔａｒｔ  Ｌｉｍｉｔ’フィールドに含まれた時間制限の範囲内で割り当てられなければならない。‘Ｓｔａｒｔ  Ｌｉｍｉｔ’フィールドには，要請される緊急チャネル資源が割り当てられるべき最も早い開始タイミングや最も遅い開始タイミング，または両者ともに関連した情報が含まれることができる。例えば，最も遅い開始タイミング情報が含まれた場合，割り当てられる緊急チャネル資源はスーパーフレーム内でこの開始タイミング情報により指示される地点よりも遅い地点で始まるように割り当てられてはいけない。‘Ｉｎｓｔａｎｔ  ＣＴＢ  ｄｕｒａｔｉｏｎ’フィールドは，要請されるチャネル資源，すなわち，メッセージ伝送のために要求されるＣＴＢ区間情報が含まれる。
　緊急チャネル資源の割当要請があると，調整器は，緊急ＣＴＢの割当可否をチェックし，可能な場合，緊急ＣＴＢの割当を知らせるために図６の‘Ｂ’領域を通じて緊急チャネル資源割当案内メッセージ（ＩＮＳ＿ＣＴＢ＿ＡＮＣ  Ｃｏｍｍａｎｄ）をＷＶＡＮに放送する。表２に，緊急チャネル資源割当案内メッセージのデータフォーマットの一例を示す。
（表２は省略）
　表２で，‘Ｔａｒｇｅｔ  ＩＤ’及び‘Ｓｏｕｒｃｅ  ＩＤ’フィールドにはそれぞれ，表１の‘Ｔａｒｇｅｔ  ＩＤ’及び‘Ｓｏｕｒｃｅ  ＩＤ’フィールドと同一な内容が含まれる。‘Ｓｔａｒｔ  Ｏｆｆｓｅｔ’フィールドは，割り当てられるＣＴＢの開始位置情報を含む。例えば，‘Ｓｔａｒｔ  Ｏｆｆｓｅｔ’フィールドには，割り当てられたＣＴＢの開始地点が特定基準点（ｒｅｆｅｒｅｎｃｅ  ｐｏｉｎｔ）からどれくらい離れた地点から始まっているかに関する情報が含まれる。‘Ｉｎｓｔａｎｔ  ＣＴＢ  Ｄｕｒａｔｉｏｎ’フィールドは，割り当てられるチャネル資源に関する情報，すなわち，割り当てられる緊急ＣＴＢ（Ｉｎｓｔａｎｔ  ＣＴＢ）の区間情報を含む。
　緊急チャネル資源割当案内メッセージを受信したＷＶＡＮ内の各デバイスは，割り当てられた緊急ＣＴＢ領域を予約領域と見なす。図６の‘Ｃ’領域は，上記の手順によって割り当てられた緊急ＣＴＢ領域で，緊急チャネル資源の割当を要請した特定デバイスは，この緊急ＣＴＢ領域を通じて他のデバイスとデータを交換することができる。緊急ＣＴＢの割当要請及び割当案内は，ＬＲＰチャネルを通じて行なわれることができる。緊急ＣＴＢ領域はＬＲＰチャネル及びＨＲＰチャネルのうち少なくともいずれか一つのチャネルに対する帯域区間を含む。すなわち，緊急ＣＴＢ領域としてＬＲＰチャネルまたはＨＲＰチャネルのいずれか一方に対する特定帯域のみを使用できるように設定しても良く，両方に対する特定帯域を使用できるように設定しても良い。）
　
　
　上記摘記事項及び図面の記載並びにこの分野における技術常識を考慮すると，
　上記（ア）の第２段落の記載によれば，先願明細書には無線私設網（ＷＰＡＮ）の一種であるＷＶＡＮで無線通信する方法が記載されていることは明らかである。
　そして，上記（ア）の第３〜５段落，上記（イ）の第３，４段落，上記（ウ）の第３，５，７段落の記載によれば，調整器は，緊急ＣＴＢ領域を含む予約ＣＴＢ領域にて伝送するための帯域幅要請メッセージ又は緊急チャネル資源要請メッセージをデバイスから受信し，これらのメッセージに応じてそれぞれタイミング割当情報又は緊急チャネル資源割当案内メッセージをＷＶＡＮに放送している。
　そして，図６によれば，緊急ＣＴＢ領域を含む予約ＣＴＢ領域ではＨＲＰ及びＬＲＰにて伝送がなされるところ，上記（イ）の第１段落には，ＨＲＰは高指向性のもので，ＬＲＰは指向性又は全指向性であることが記載され，予約ＣＴＢ領域での伝送は予約に係るデバイス間の伝送であるから全指向性とする必要はなく，非予約ＣＴＢ領域での伝送は競争方式によるものであるから全指向性とする必要があることは当業者における技術常識であるから，緊急ＣＴＢ領域を含む予約ＣＴＢ領域での伝送は指向性通信であることは明らかである。
　そして，上記（ウ）の第３，５，７段落の記載及び図６によれば，緊急チャネル資源要請メッセージは‘Ａ’領域を通じて伝送され，緊急チャネル資源要請メッセージは‘Ｂ’領域を通じて放送され，緊急ＣＴＢ領域である‘Ｃ’領域はもともと非予約ＣＴＢ領域であった‘ｃ’領域上に割り当てられ，‘Ａ’領域，‘Ｂ’領域及び‘Ｃ’領域の全てが，ビーコンが伝送される領域（ｂｅａｃｏｎ  ｒｅｇｉｏｎ）ではなく，２つの連続するビーコンの間に生じていることが見てとれる。すなわち，緊急ＣＴＢ領域の要請は‘Ａ’領域の間に受信され，緊急チャネル資源割当案内メッセージは‘Ｂ’領域の間に放送され，前記受信，前記放送及び緊急ＣＴＢ領域の全てがビーコンが伝送される領域（ｂｅａｃｏｎ  ｒｅｇｉｏｎ）ではなく，２つの連続するビーコンの間に生じ，前記緊急ＣＴＢ領域は，緊急ＣＴＢ領域の要請のときに予約されていなかった非予約ＣＴＢ領域を有すると認められる。
　以上を総合すると，先願明細書には以下の発明（以下，「先願発明」という。）が記載されているものと認める。
「‘Ａ’領域の間に調整器がＷＶＡＮで指向性通信のための予約ＣＴＢ領域である緊急ＣＴＢ領域の要請である緊急チャネル資源要請メッセージを受信し，
　‘Ｂ’領域の間に調整器が前記要請に応じて緊急チャネル資源割当案内メッセージを放送することを有し，
　前記受信，前記放送及び前記緊急ＣＴＢ領域の全てが，ビーコンが伝送される領域（ｂｅａｃｏｎ  ｒｅｇｉｏｎ）ではなく，２つの連続するビーコンの間に生じ，前記緊急ＣＴＢ領域は，前記要請のときに予約されていなかった非予約ＣＴＢ領域を有する無線通信方法。」
ウ　対比・判断
　補正後の発明と先願発明とを対比すると，
（ア）先願発明の「ＷＶＡＮ」は，無線私設網（ＷＰＡＮ：  Ｗｉｒｅｌｅｓｓ  Ｐｒｉｖａｔｅ  Ａｃｃｅｓｓ  Ｎｅｔｗｏｒｋ）の一種であるから，「無線パーソナルエリアネットワーク」といえる。
（イ）補正後の発明は受信及び送信の主体を明らかにしていないが，本願明細書によれば，「ハンドシェイクの間に無線パーソナルエリアネットワークで指向性通信のための予約期間の要求を受信し，前記ハンドシェイクの間に前記要求に応じて前記予約期間の許可を送信する」のは「調整器」であるから，補正後の発明は受信及び送信の主体として「調整器」を含むことは明らかである。したがって，実際の動作の主体においても，両者に差異は無い。
（ウ）先願発明の「予約ＣＴＢ領域である緊急ＣＴＢ領域」は，明らかに補正後の発明の「予約期間」に含まれる。そして，先願発明の「緊急チャネル資源要請メッセージ」，「緊急チャネル資源割当案内メッセージ」は，それぞれ「指向性通信のための予約期間の要求」，「前記予約期間の許可」といえる。更に，先願発明の「放送」は，明らかに「送信」に含まれる。
（エ）補正後の発明の「ハンドシェイクの間」は，本願明細書の【００１２】の「スーパーフレームは210，220及び230で示されており，スーパーフレーム220が240で引き出されており，ビーコン250と，予約ブロック260と，ハンドシェイク270と，動的予約ブロック280とを含む。送信機とのハンドシェイク270の間に，調整器は，指向性リンクに一部又は全部の予約されていないチャネル時間ブロックを割り当てる。」（原文では「Superframes are shown at 210, 220 and 230 with superframe 220 called out at 240 and including beacon 250, reserved block 260, handshake 270 and  dynamically reserved block 280. 
During handshaking
　してみると，先願発明の「‘Ａ’領域の間」，「‘Ｂ’領域の間」は，それぞれ緊急ＣＴＢ領域の要請（すなわち，指向性通信のための予約期間の要求）及び要請に応じた緊急チャネル資源割当案内メッセージの放送（すなわち，要求に応じた予約期間の許可の送信）をやり取りしている間であるから，いずれも「ハンドシェイクを行っている間」といえる。
（オ）補正後の発明の「ビーコンの間ではなく，２つの連続するビーコンの間に生じ」なる記載は，技術常識に照らせば「ビーコンフレーム中ではなく，２つの連続するビーコンの間に生じ」と解するのが相当である。してみると，この点において両者に差異は無い。
　したがって，補正後の発明と先願発明とを対比すると，両者は，以下の点で一致している。
（一致点）
「ハンドシェイクの間に無線パーソナルエリアネットワークで指向性通信のための予約期間の要求を受信し，
　前記ハンドシェイクの間に前記要求に応じて前記予約期間の許可を送信することを有し，
　前記受信，前記送信及び前記予約期間の全てが，ビーコンの間ではなく，２つの連続するビーコンの間に生じ，前記予約期間は，前記要求のときに予約されていなかったチャネル時間ブロックを有する無線通信方法。」
　そして，相違点はない。
　したがって，補正後の発明と先願発明とは同一である。
エ　むすび
　以上のとおり，補正後の発明は，その出願の日前の外国語特許出願であって，その出願後に国際公開がされたＰＣＴ／ＫＲ２００７／００６１９７号の国際出願日における国際出願の明細書，請求の範囲又は図面に記載された発明と同一であり，しかも，この出願の発明者がその出願前の外国語特許出願に係る上記の発明をした者と同一ではなく，またこの出願の時において，その出願人が上記外国語特許出願の出願人と同一でもないので，特許法第２９条の２の規定により，特許を受けることができないものである。
（３）　結語
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
第３　本願発明について
１　本願発明
　平成２７年１１月１０日付けの手続補正は上記のとおり却下されたので，本願発明は，上記「１　本願発明と補正後の発明」の項の「本願発明」のとおりのものと認める。
２　先願発明
　先願発明は，上記「第２　補正却下の決定」の項中の「２　補正の適否」の項中の「（２）独立特許要件」の項中の「イ　先願発明」の項で認定したとおりである。
３　対比・判断
　そこで，本願発明と先願発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，先願発明と同一であるから，本願発明も同様の理由により，先願発明と同一である。
４　むすび
　以上のとおり，本願発明は，先願発明は同一であるから，特許法第２９条の２の規定により，特許を受けることができない。
　よって，結論のとおり審決する。